(57)【要約】【課題】誤った接続による遊技機の故障を未然に防止することが可能な遊技機用電源装置を提供する。【解決手段】本発明の遊技機用電源装置１０は、商用電源１のコンセントに接続される電源プラグ１１と、電源プラグ１１から入力されたＡＣ１００Ｖの交流電圧を、ＡＣ２４Ｖの交流電圧に変換して出力し、かつ、ＡＣ１００Ｖの交流電圧のまま出力する電源トランス１２と、電源トランス１２から出力されたＡＣ２４Ｖの交流電圧を供給し、ＡＣ２４Ｖ遊技機４の電源プラグ５に適合する穴形状を有するＡＣ２４Ｖ出力コンセント１３と、電源トランス１２から出力されたＡＣ１００Ｖの交流電圧を供給し、ＡＣ１００Ｖ遊技機２の電源プラグ３に装着された変換プラグ１５に適合する穴形状を有するＡＣ１００Ｖ出力コンセント１４と、を備えて構成されている。【選択図】図１
2019051046.tif 000002
【特許請求の範囲】
【請求項１】
商用電源から遊技機に定格電圧の電力を供給する遊技機用電源装置であって、
前記商用電源のコンセントに接続される電源プラグと、
前記電源プラグから入力されたＡＣ１００Ｖの交流電圧を、ＡＣ２４Ｖの交流電圧に変換して出力し、かつ、ＡＣ１００Ｖの交流電圧のまま出力する電源トランスと、
前記電源トランスから出力されたＡＣ２４Ｖの交流電圧を供給し、ＡＣ２４Ｖ遊技機の電源プラグに適合する穴形状を有するＡＣ２４Ｖ出力コンセントと、
前記電源トランスから出力されたＡＣ１００Ｖの交流電圧を供給し、ＡＣ１００Ｖ遊技機の電源プラグに装着された変換プラグに適合する穴形状を有するＡＣ１００Ｖ出力コンセントと、を備えたことを特徴とする遊技機用電源装置。
【発明の詳細な説明】
【技術分野】
【０００１】
本発明は、パチンコ台やスロット台などの遊技機が複数台設置されたパチンコ店において、各遊技機に定格電圧の電力を供給する遊技機用電源装置に関する。
【背景技術】
【０００２】
従来、前記のようなパチンコ店では、遊技機の定格電圧がＡＣ１００Ｖの機器とＡＣ２４Ｖの機器が混在して設置されている（例えば、下記の特許文献１を参照）。
【０００３】
そこで、一般的なパチンコ店の店舗では、図３（ａ）に示すように、ＡＣ１００Ｖ遊技機２については、機器の電源プラグ３をＡＣ１００Ｖの商用電源１のコンセントに直接接続して使用している。また、図３（ｂ）に示すように、ＡＣ２４Ｖ遊技機４については、商用電源１のＡＣ１００ＶをＡＣ２４Ｖに変換する電圧変換器（電源トランス）６を使用し、電圧変換器６の電源プラグ７を商用電源１のコンセントに接続し、機器の電源プラグ５を電圧変換器６のプラグ受け８に接続して使用している。
【０００４】
ここで、ＡＣ１００Ｖ遊技機２の電源プラグ３と、ＡＣ２４Ｖ遊技機４の電源プラグ５は、ともに差込プラグの刃形状が同一のＡタイプである。このため、電圧変換器６のプラグ受け８の穴形状もＡタイプであり、商用電源１のコンセントの穴形状と同一形状になっている。
【先行技術文献】
【特許文献】
【０００５】
【特許文献１】実用新案登録第３０７０１７１号公報
【発明の概要】
【発明が解決しようとする課題】
【０００６】
ところで、パチンコ店の店舗では、機器・設備の入れ替えやメンテナンスを行う際、ＡＣ１００Ｖ遊技機２の電源プラグ３、ＡＣ２４Ｖ遊技機４の電源プラグ５、電圧変換器６の電源プラグ７の抜き差し作業が必要になる。
【０００７】
その際、図３（ｃ）に示すように、作業者がＡＣ２４Ｖ遊技機４の電源プラグ５を誤ってＡＣ１００Ｖの商用電源１のコンセントに接続してしまった場合、遊技機の電源許容範囲を大きく上回る入力電圧（ＡＣ１００Ｖ）が供給され、基盤の破損など機器の故障が発生する。この場合、機器の入れ替えや補修に加え、確認作業等で長時間の設備停止を余儀なくされ、稼働率低下により店舗にとって大きな損失が発生するという問題があった。なお、ＡＣ１００Ｖ遊技機２の電源プラグ３を電圧変換器６のプラグ受け８に誤って接続した場合には、遊技機の電源許容範囲を大きく下回る入力電圧（ＡＣ２４Ｖ）が供給されるため、正常に動作しないだけで機器の故障は発生しない。
【０００８】
そこで、本発明はこのような問題を解決するためになされたものであり、その目的とするところは、誤った接続による遊技機の故障を未然に防止することが可能な遊技機用電源装置を提供することにある。
【課題を解決するための手段】
【０００９】
前記の目的を達成するため、本発明は、商用電源から遊技機に定格電圧の電力を供給する遊技機用電源装置であって、前記商用電源のコンセントに接続される電源プラグと、前記電源プラグから入力されたＡＣ１００Ｖの交流電圧を、ＡＣ２４Ｖの交流電圧に変換して出力し、かつ、ＡＣ１００Ｖの交流電圧のまま出力する電源トランスと、前記電源トランスから出力されたＡＣ２４Ｖの交流電圧を供給し、ＡＣ２４Ｖ遊技機の電源プラグに適合する穴形状を有するＡＣ２４Ｖ出力コンセントと、前記電源トランスから出力されたＡＣ１００Ｖの交流電圧を供給し、ＡＣ１００Ｖ遊技機の電源プラグに装着された変換プラグに適合する穴形状を有するＡＣ１００Ｖ出力コンセントと、を備えたことを特徴とするものである。
【発明の効果】
【００１０】
本発明によれば、パチンコ店の店舗において、作業者が遊技機の接続を誤ったとしても機器の故障が発生することがないため、長時間の設備停止が起こらず、稼働率低下による損失を未然に防止することができるという効果が得られる。
【図面の簡単な説明】
【００１１】
【図１】本発明による遊技機の正しい接続例を示す図である。
【図２】本発明による遊技機の誤った接続例を示す図である。
【図３】従来の遊技機の接続例を示す図である。
【発明を実施するための形態】
【００１２】
以下、本発明を実施するための形態について、図面を参照しながら説明する。
【００１３】
図１に示すように、本発明の遊技機用電源装置は、パチンコ台やスロット台などの遊技機が複数台設置されたパチンコ店において、電源電圧が異なる各遊技機に対し定格電圧の電力を供給する装置である。本実施形態では、定格電圧がＡＣ１００Ｖの遊技機（ＡＣ１００Ｖ遊技機）２と、定格電圧がＡＣ２４Ｖの遊技機（ＡＣ２４Ｖ遊技機）４に対し、一台の遊技機用電源装置１０で、どちらの機器にも対応することができる。この遊技機用電源装置１０は、電源プラグ１１と、電源トランス１２と、ＡＣ２４Ｖ出力コンセント１３と、ＡＣ１００Ｖ出力コンセント１４を備えて構成されている。
【００１４】
電源プラグ１１は、刃形状がＡタイプの差込プラグであって、ＡＣ１００Ｖの商用電源１のコンセントに接続される。電源プラグ１１にはＡＣ１００Ｖの交流電圧を入力する入力導線が接続されている。
【００１５】
電源トランス１２は、本実施形態ではリング状の鉄心に一次コイル１２ａと二次コイル１２ｂ，１２ｃを巻き付けたトロイダル型トランスからなる。一次コイル１２ａは入力導線を介して電源プラグ１１に接続されており、外部の商用電源１から入力されたＡＣ１００Ｖの交流電圧が一次電圧として印加される。二次コイル１２ｂ，１２ｃは巻数の異なる二つのコイルからなり、巻数の少ない一方の二次コイル１２ｂはＡＣ１００Ｖの一次電圧をＡＣ２４Ｖの二次電圧に変換して出力し、巻数の多い他方の二次コイル１２ｃはＡＣ１００Ｖの一次電圧をＡＣ１００Ｖの二次電圧のまま出力する。
【００１６】
ＡＣ２４Ｖ出力コンセント１３は、出力導線を介して一方の二次コイル１２ｂに接続されており、二次コイル１２ｂの端子から出力されたＡＣ２４Ｖの交流電圧を外部に供給する。このＡＣ２４Ｖ出力コンセント１３は、ＡＣ２４Ｖ遊技機４の電源プラグ５に適合する穴形状（本実施形態ではＡタイプの穴形状）を有するプラグ受けである。
【００１７】
ＡＣ１００Ｖ出力コンセント１４は、出力導線を介して他方の二次コイル１２ｃに接続されており、二次コイル１２ｃの端子から出力されたＡＣ１００Ｖの交流電圧を外部に供給する。このＡＣ１００Ｖ出力コンセント１４は、ＡＣ１００Ｖ遊技機２の電源プラグ３が物理的に挿入できない穴形状を有するプラグ受けである。すなわち、本実施形態ではＡＣ１００Ｖ遊技機２の電源プラグ３には、刃形状をＡタイプからＣタイプに変換する変換プラグ１５が装着されるため、ＡＣ１００Ｖ出力コンセント１４は変換プラグ１５に適合する穴形状（本実施形態ではＣタイプの穴形状）を有している。
【００１８】
以上が本実施形態の遊技機用電源装置１０の構成であるが、以下その使用方法について説明すると、図１において、パチンコ店の店舗ではまず電源プラグ１１を商用電源１のコンセントに挿入し、遊技機用電源装置１０を設置する。
【００１９】
ここで、ＡＣ２４Ｖ遊技機４を接続する場合には、その電源プラグ５をＡＣ２４Ｖ出力コンセント１３に挿入する。電源プラグ５とＡＣ２４Ｖ出力コンセント１３は同じＡタイプであるため、そのまま挿入することができ、ＡＣ２４Ｖ遊技機４が遊技機用電源装置１０を介して商用電源１に接続される。これにより、商用電源１から電源プラグ１１を介して入力されたＡＣ１００Ｖの交流電圧は、電源トランス１２の二次コイル１２ｂでＡＣ２４Ｖの交流電圧に変換して出力され、ＡＣ２４Ｖ出力コンセント１３から電源プラグ５を介してＡＣ２４Ｖ遊技機４にＡＣ２４Ｖの定格電圧が供給される。
【００２０】
これに対し、ＡＣ１００Ｖ遊技機２を接続する場合には、その電源プラグ３に変換プラグ１５を装着し、変換プラグ１５をＡＣ１００Ｖ出力コンセント１４に挿入する。電源プラグ３とＡＣ１００Ｖ出力コンセント１４はタイプが異なるが、変換プラグ１５とＡＣ１００Ｖ出力コンセント１４は同じＣタイプであるため、変換プラグ１５を介して挿入することができ、ＡＣ１００Ｖ遊技機２が遊技機用電源装置１０を介して商用電源１に接続される。これにより、商用電源１から電源プラグ１１を介して入力されたＡＣ１００Ｖの交流電圧は、電源トランス１２の二次コイル１２ｃでＡＣ１００Ｖの交流電圧のまま出力され、ＡＣ１００Ｖ出力コンセント１４から変換プラグ１５と電源プラグ３を介してＡＣ１００Ｖ遊技機２にＡＣ１００Ｖの定格電圧が供給される。
【００２１】
ところで、図２に示すように、作業者がＡＣ２４Ｖ遊技機４の電源プラグ５を誤ってＡＣ１００Ｖ出力コンセント１４に挿入しようとした場合、電源プラグ５の刃形状がＡタイプであるのに対し、ＡＣ１００Ｖ出力コンセント１４の穴形状はＣタイプであり、両者のタイプが異なるので物理的に挿入することができない。したがって、作業者はＡＣ１００Ｖ出力コンセント１４が誤りであることに瞬時に気づき、正しくＡＣ２４Ｖ出力コンセント１３の方に挿入し直すことができる。
【００２２】
これに対し、作業者がＡＣ１００Ｖ遊技機２の電源プラグ３に変換プラグ１５を装着する前に、誤ってＡＣ２４Ｖ出力コンセント１３に挿入しようとした場合、電源プラグ３の刃形状とＡＣ２４Ｖ出力コンセント１３の穴形状が同じＡタイプであるため、物理的には挿入することができる。しかし、ＡＣ１００Ｖ遊技機２の許容電圧に対し、ＡＣ２４Ｖ出力コンセント１３から供給される出力電圧はＡＣ２４Ｖという大幅に低い電圧値であるため、ＡＣ１００Ｖ遊技機２が正常に動作しないだけで済み、基盤の破損といった機器の故障は生じない。
【００２３】
以上説明したように、本発明によれば、パチンコ店の店舗において、機器・設備の入れ替えやメンテナンスを行う際、作業者が遊技機の接続を誤った場合でも、物理的に接続できないか、あるいは接続できたとしても正常に動作しないだけであって、機器の故障などの重大なトラブルに繋がることはない。したがって、機器の入れ替え、補修、確認作業等で長時間の設備停止が起こることがなく、稼働率低下による損失を未然に防止することができる。
【００２４】
なお、本実施形態において、ＡＣ１００Ｖ出力コンセント１４の穴形状をＣタイプにしたが、ＡＣ１００Ｖ遊技機２の電源プラグ３が物理的に挿入できない穴形状であればこれに限られない。例えば、Ｂタイプ（Ｂ、Ｂ３、ＢＦ）やＯタイプ（Ｏ、Ｏ２）など、その他の形状を採用し、それに適合する変換プラグ１５を使用することもできる。
【符号の説明】
【００２５】
１：商用電源
２：ＡＣ１００Ｖ遊技機
３：ＡＣ１００Ｖ遊技機の電源プラグ
４：ＡＣ２４Ｖ遊技機
５：ＡＣ２４Ｖ遊技機の電源プラグ
６：電圧変換器
７：電圧変換器の電源プラグ
８：電圧変換器のプラグ受け
１０：遊技機用電源装置
１１：電源プラグ
１２：電源トランス
１３：ＡＣ２４Ｖ出力コンセント
１４：ＡＣ１００Ｖ出力コンセント
１５：変換プラグ
【図１】
2019051046.tif 000003
【図２】
2019051046.tif 000004
【図３】
2019051046.tif 000005